(57)【特許請求の範囲】
【請求項１】
合成樹脂製の結束バンドをバンド取付部に取り付ける結束バンド取付構造において、
前記バンド取付部に、垂直方向に延びた垂直面と、前記垂直面に連なったフックと、前記垂直面に連なり、互いの間に前記フックを位置付けた第１支点部及び第２支点部と、が設けられ、
前記フックが、前記垂直面から水平方向に延びた第１板部と、該第１板部における前記垂直面から離れた端部から下方に延びた第２板部と、を有する断面Ｌ字状に形成され、
前記第１支点部と前記フックとの間、及び、前記第２支点部と前記フックとの間は間隔があけられており、
前記第１支点部の上端面及び前記第２支点部の上端面のいずれか一方が、前記第１板部の上端面と同じ高さに位置付けられており、他方が、前記第１板部の上端面よりも下方の位置に位置付けられており、
前記結束バンドが、前記第１支点部と前記フックとの間、前記第１板部の下方、前記第２支点部と前記フックとの間、を通されて前記バンド取付部に取り付けられる
ことを特徴とする結束バンド取付構造。
【請求項２】
請求項１に記載の結束バンド取付構造を用いた結束バンドの取付方法であって、
前記結束バンドをＵ字状に撓ませて、該結束バンドを、前記第１支点部と前記フックとの間、前記第１板部の下方、前記第２支点部と前記フックとの間、を通る位置に位置付け、該位置で前記結束バンドを放すことにより、前記結束バンドを当該結束バンドの弾性復元力により前記第１支点部の上端面及び前記第２支点部の上端面に弾性接触させて前記バンド取付部に取り付ける
ことを特徴とする結束バンドの取付方法。
【発明の詳細な説明】
【技術分野】
【０００１】
本発明は、ワイヤハーネス等を結束する合成樹脂製の結束バンドをバンド取付部に取り付ける結束バンド取付構造、及び、結束バンドの取付方法に関するものである。
【背景技術】
【０００２】
図８は従来の結束バンド取付構造を示す斜視図である。図９は図８中のＧ−Ｇ線に沿った断面図である。図８，９に示す結束バンド取付構造２０１は、ワイヤハーネス２１２を固定するための結束バンド２１４をホルダ２１０に取り付ける構造である。
【０００３】
上記結束バンド２１４は、合成樹脂で構成されており、弾性変形可能に形成された帯部２３６と、帯部２３６の一端部に設けられた挿通係止部２３８と、が一体形成されたものである。帯部２３６の片面には複数の係止突起が当該帯部２３６の長手方向に連続して設けられている。挿通係止部２３８には、帯部２３６を挿通可能な挿通孔と、帯部２３６の係止突起に係止可能な係止片と、が設けられている。
【０００４】
上記ホルダ２１０は、合成樹脂で構成されており、表面にワイヤハーネス２１２を位置付けることが可能な形状に形成されている。また、ホルダ２１０には、結束バンド２１４を取り付けるための一対のバンド挿通孔２２２が設けられている。
【０００５】
この結束バンド取付構造２０１においては、帯部２３６が一対のバンド挿通孔２２２に通されることにより、結束バンド２１４がホルダ２１０に取り付けられる。また、結束バンド２１４を用いてワイヤハーネス２１２をホルダ２１０に固定する際は、先に結束バンド２１４をホルダ２１０に取り付けておき、次にホルダ２１０の表面にワイヤハーネス２１２を位置付ける。そして、ワイヤハーネス２１２の外周に帯部２３６を巻き付け、帯部２３６の他端部を挿通係止部２３８の挿通孔に通すとともに係止突起を係止片に係止させることにより、ワイヤハーネス２１２をホルダ２１０に固定する（特許文献１を参照。）。
【先行技術文献】
【特許文献】
【０００６】
【特許文献１】特開２０１０−２６５９４７号公報
【発明の概要】
【発明が解決しようとする課題】
【０００７】
上述した結束バンド取付構造２０１においては、結束バンド２１４をホルダ２１０に取り付ける際、帯部２３６を微細なバンド挿通孔２２２に二回も通さなくてはならず、作業が煩雑であるという問題があった。
【０００８】
したがって、本発明は、結束バンドを容易にバンド取付部に取り付けることができる結束バンド取付構造、及び、該結束バンド取付構造を用いた結束バンドの取付方法を提供することを目的とする。
【課題を解決するための手段】
【０００９】
上記目的を達成するために請求項１に記載された発明は、合成樹脂製の結束バンドをバンド取付部に取り付ける結束バンド取付構造において、前記バンド取付部に、垂直方向に延びた垂直面と、前記垂直面に連なったフックと、前記垂直面に連なり、互いの間に前記フックを位置付けた第１支点部及び第２支点部と、が設けられ、前記フックが、前記垂直面から水平方向に延びた第１板部と、該第１板部における前記垂直面から離れた端部から下方に延びた第２板部と、を有する断面Ｌ字状に形成され、前記第１支点部と前記フックとの間、及び、前記第２支点部と前記フックとの間は間隔があけられており、前記第１支点部の上端面及び前記第２支点部の上端面のいずれか一方が、前記第１板部の上端面と同じ高さに位置付けられており、他方が、前記第１板部の上端面よりも下方の位置に位置付けられており、前記結束バンドが、前記第１支点部と前記フックとの間、前記第１板部の下方、前記第２支点部と前記フックとの間、を通されて前記バンド取付部に取り付けられることを特徴とする結束バンド取付構造である。
【００１０】
上記目的を達成するために請求項２に記載された発明は、請求項１に記載の結束バンド取付構造を用いた結束バンドの取付方法であって、前記結束バンドをＵ字状に撓ませて、該結束バンドを、前記第１支点部と前記フックとの間、前記第１板部の下方、前記第２支点部と前記フックとの間、を通る位置に位置付け、該位置で前記結束バンドを放すことにより、前記結束バンドを当該結束バンドの弾性復元力により前記第１支点部の上端面及び前記第２支点部の上端面に弾性接触させて前記バンド取付部に取り付けることを特徴とする結束バンドの取付方法である。
【発明の効果】
【００１１】
請求項１に記載された発明によれば、前記結束バンドを、前記第１支点部と前記フックとの間、前記第１板部の下方、前記第２支点部と前記フックとの間、を通すことで前記バンド取付部に取り付けることができ、従来品のように結束バンドを微細な孔に通すことなく容易にバンド取付部に取り付けることができる。
【００１２】
請求項２に記載された発明によれば、前記結束バンドをＵ字状に撓ませて、該結束バンドを、前記第１支点部と前記フックとの間、前記第１板部の下方、前記第２支点部と前記フックとの間、を通る位置に位置付け、該位置で前記結束バンドを放すことにより、前記結束バンドを当該結束バンドの弾性復元力により前記第１支点部の上端面及び前記第２支点部の上端面に弾性接触させて前記バンド取付部に取り付けることができるので、従来品のように結束バンドを微細な孔に通すことなく容易にバンド取付部に取り付けることができる。
【図面の簡単な説明】
【００１３】
【図１】本発明の一実施形態にかかる結束バンド取付構造を示す斜視図である。
【図２】図１中のＡ−Ａ線に沿った断面図である。
【図３】図１に示された結束バンド取付構造を用いた結束バンドの取付方法を説明する説明図である。
【図４】図３中のＢ−Ｂ線に沿った断面図である。
【図５】図３に示された結束バンドがバンド取付部に取り付けられた状態を示す斜視図である。
【図６】図５中のＣ−Ｃ線に沿った断面図である。
【図７】図５中のＤ−Ｄ線に沿った断面図である。
【図８】従来の結束バンド取付構造を示す斜視図である。
【図９】図８中のＧ−Ｇ線に沿った断面図である。
【発明を実施するための形態】
【００１４】
本発明の一実施形態にかかる「結束バンド取付構造」及び該結束バンド取付構造を用いた「結束バンドの取付方法」を図１〜７を参照して説明する。
【００１５】
本発明の「結束バンド取付構造１」は、結束バンド２を、図５，６に示すようにバンド取付部３に取り付ける構造である。すなわち、本発明の「結束バンド取付構造１」は、結束バンド２とバンド取付部３とで構成されている。
【００１６】
上記結束バンド２は、図１，２に示すように、ワイヤハーネス８を電気接続箱のケース９における所定位置に固定するためのものである。前記電気接続箱は、自動車に搭載されて、前記自動車に搭載された電子機器に対して電力供給及び信号伝達を行うものである。また、ワイヤハーネス８は、前記電気接続箱と前記電子機器とを接続する配線部材であり、複数の電線が束ねられて構成されている。
【００１７】
この結束バンド２は、合成樹脂で構成されており、周知のように、弾性変形可能に形成された帯部２０と、帯部２０の一端部２０ａに設けられた挿通係止部２１と、が一体形成されたものである。帯部２０の片面には複数の係止突起（図示は省略する。）が当該帯部２０の長手方向に連続して設けられている。挿通係止部２１には、帯部２０を挿通可能な挿通孔と、帯部２０の係止突起に係止可能な係止片と、が設けられている。
【００１８】
上記バンド取付部３は、上記電気接続箱のケース９に一体に設けられている。このバンド取付部３には、図３などに示すように、垂直方向、すなわち矢印Ｙ方向、に延びた垂直面４と、垂直面４に連なったフック５と、垂直面４に連なり、互いの間にフック５を位置付けた第１支点部６及び第２支点部７と、が設けられている。
【００１９】
上記フック５は、図７等に示すように、垂直面４から水平方向、すなわち矢印Ｚと平行な方向、に延びた第１板部５１と、該第１板部５１における垂直面４から離れた端部から下方に延びた第２板部５２と、を有する断面Ｌ字状に形成されている。図２に示すように、第１板部５１は、結束バンド２によってワイヤハーネス８が固定される部分であり、その上端面５１ａにワイヤハーネス８が位置付けられ、その下端面５１ｂに結束バンド２の帯部２０が位置付けられる。第２板部５２は、垂直面４と矢印Ｚ方向に間隔をあけて対向している。この第２板部５２は、第１板部５１の下端面５１ｂに位置付けられた帯部２０を垂直面４との間に位置付けて帯部２０の位置ずれを防止するための部分である。
【００２０】
上記第１支点部６は、垂直方向、すなわち矢印Ｙ方向、に延びるとともに垂直面４と直交する壁である。この第１支点部６は、フック５と矢印Ｘ方向に間隔をあけている。矢印Ｘは、矢印Ｙ，Ｚと直交する方向である。図２等に示すように、第１支点部６の上端面６０は、第１板部５１の上端面５１ａよりも下方の位置に位置付けられている。また、図２中の符号６１は、第１支点部６の上端面６０におけるフック５寄りの端部を示している。また、第１支点部６には、上端面６０から矢印Ｙ方向に突出した突出部６２が設けられている。この突出部６２は、垂直面４と矢印Ｚ方向に間隔をあけている。
【００２１】
上記第２支点部７は、垂直方向、すなわち矢印Ｙ方向、に延びた四角柱状に形成されており、その側面が垂直面４に連なっている。この第２支点部７は、フック５と矢印Ｘ方向に間隔をあけている。図２等に示すように、第２支点部７の上端面７０は、第１板部５１の上端面５１ａと同じ高さに位置付けられている。また、図２中の符号７１は、第２支点部７の上端面７０におけるフック５寄りの端部を示している。
【００２２】
続いて、上記バンド取付部３に結束バンド２を取り付ける方法を説明する。まず、図３，４に示すように、結束バンド２をＵ字状に撓ませて、帯部２０を、第１支点部６とフック５との間、第１板部５１の下方、第２支点部７とフック５との間、を通る位置に位置付ける。そして、該位置で結束バンド２を放す。すると、結束バンド２は、図５，６に示すように、帯部２０の弾性復元力によりＵ字状からＣ字状に変位し、帯部２０がその弾性復元力により、第１支点部６の上端面６０の端部６１、第１板部５１の下端面５１ｂ、第２支点部７の上端面７０の端部７１に弾性接触してバンド取付部３に取り付けられる。
【００２３】
また、上記結束バンド２は、図５，６に示す状態において、帯部２０が、垂直面４と突出部６２の間、及び、垂直面４と第２板部５２の間に位置付けられていることから、矢印Ｚ方向に位置ずれすることがない。さらに、上記結束バンド２は、図５，６に示す状態において、帯部２０における係止突起が設けられた面が、第１支点部６の上端面６０の端部６１、第２支点部７の上端面７０の端部７１に弾性接触していることから、矢印Ｘ方向に位置ずれすることがない。
【００２４】
このように本発明の「結束バンド取付構造１」及び「結束バンドの取付方法」によれば、従来品のように結束バンド２を微細な孔に通すことなく容易にバンド取付部３に取り付けることができる。
【００２５】
また、上記結束バンド２を用いてワイヤハーネス８を図１，２に示すように第１板部５１に固定する際は、上述した方法で先に結束バンド２をバンド取付部３に取り付けておき、次に第１板部５１の上端面５１ａにワイヤハーネス８を位置付ける。そして、ワイヤハーネス８の外周に帯部２０を巻き付け、帯部２０の他端部２０ｂを図５中の矢印Ｅで示すように挿通係止部２１の挿通孔に通すとともに係止突起を係止片に係止させることにより、ワイヤハーネス８を第１板部５１に固定する。
【００２６】
また、上述した実施形態では、「結束バンド取付構造１」が電気接続箱に適用された例を説明したが、本発明の「結束バンド取付構造」は、流体を通す管や光ケーブルの固定構造などにも適用することができる。
【００２７】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２８】
１  結束バンド取付構造
２  結束バンド
３  バンド取付部
４  垂直面
５  フック
６  第１支点部
７  第２支点部
５１  第１板部
５２  第２板部
【図１】
0005936035.tif 000002
【図２】
0005936035.tif 000003
【図３】
0005936035.tif 000004
【図４】
0005936035.tif 000005
【図５】
0005936035.tif 000006
【図６】
0005936035.tif 000007
【図７】
0005936035.tif 000008
【図８】
0005936035.tif 000009
【図９】
0005936035.tif 000010